【手続補正書】
【提出日】平成18年3月28日(2006.3.28)
【手続補正１】
【補正対象書類名】明細書
【補正対象項目名】特許請求の範囲
【補正方法】変更
【補正の内容】
【特許請求の範囲】
【請求項１】
ゲート層にショットキー接触する金属端子を有し、前記ショットキー接触により構成されるショットキーバリアダイオードを含むＰＮＰＮ構造の発光サイリスタ。
【請求項２】
前記金属端子は、Ａｕ，Ａｌ，Ｐｔ，Ｔｉ，Ｍｏ，Ｗ，ＷＳｉ，ＴａＳｉよりなる群から選ばれた金属よりなることを特徴とする請求項１に記載の発光サイリスタ。
【請求項３】
前記ゲート層は、ＡｌＧａＡｓで形成され、前記金属端子は、Ａｌ配線で形成されることを特徴とする請求項１に記載の発光サイリスタ。
【請求項４】
１次元的に配列された、ショットキーバリアダイオードを含むＰＮＰＮ構造の複数個の発光サイリスタと、
隣接する発光サイリスタのゲート電極間を結合する結合ダイオードとを備え、
前記結合ダイオードとして、前記ショットキーバリアダイオードを用いたことを特徴とする自己走査型発光素子アレイ。
【請求項５】
ＰＮＰＮ構造の発光サイリスタ複数個を一次元的に接続し、
隣接する発光サイリスタのゲート電極間を結合ダイオードにて互いに接続し、
電源電圧ラインを、前記各発光サイリスタに、各負荷抵抗を介して接続し、
前記一次元的に配列された各発光サイリスタに、２相のクロックパルスラインを、それぞれ１素子おきに接続し、
前記２相のクロックパルスラインの一方を、スタートパルス形成用ダイオードを介して、最初に発光すべき発光サイリスタのゲート電極に接続した自己走査型発光素子アレイにおいて、
前記結合ダイオードおよび前記スタートパルス形成用ダイオードを、前記ＰＮＰＮ構造に形成されたショットキーバリアダイオードで構成することを特徴とする自己走査型発光素子アレイ。
【請求項６】
ＰＮＰＮ構造の発光サイリスタ複数個を一次元的に接続し、
隣接する発光サイリスタのゲート電極間を結合ダイオードにて互いに接続し、
電源電圧ラインを、前記各発光サイリスタに、各負荷抵抗を介して接続し、
前記一次元的に配列された各発光サイリスタに、２相のクロックパルスラインを、それぞれ１素子おきに接続し、
前記２相のクロックパルスラインを、ダイオード−ダイオード・ロジックの論理和回路または論理積回路を介して、前記電源電圧ラインに接続した自己走査型発光素子アレイにおいて、
前記結合ダイオードおよび前記論理和回路または論理積回路を、前記ＰＮＰＮ構造に形成されたショットキーバリアダイオードで構成することを特徴とする自己走査型発光素子アレイ。
【請求項７】
ＰＮＰＮ構造の発光サイリスタ複数個を一次元的に接続し、
隣接する発光サイリスタのゲート電極間を結合ダイオードにて互いに接続し、
電源電圧ラインを、前記各発光サイリスタに、各負荷抵抗を介して接続し、
前記一次元的に配列された各発光サイリスタに、２相のクロックパルスラインを、それぞれ１素子おきに接続し、
前記２相のクロックパルスラインの一方を、スタートパルス形成用ダイオードを介して、最初に発光すべき発光サイリスタのゲート電極に接続し、
前記２相のクロックパルスラインを、ダイオード−ダイオード・ロジックの論理和回路または論理積回路を介して、前記電源電圧ラインに接続した自己走査型発光素子アレイにおいて、
前記結合ダイオード，前記スタートパルス用ダイオード，および前記論理和回路または論理積回路を、前記ＰＮＰＮ構造に形成されたショットキーバリアダイオードで構成することを特徴とする自己走査型発光素子アレイ。
【請求項８】
前記ショットキーバリアダイオードは、前記ＰＮＰＮ構造のＡｌＧａＡｓ層と、このＡｌＧａＡｓ層に接触するＡｌ配線とにより構成されることを特徴とする請求項４〜７のいずれかに記載の自己走査型発光素子アレイ。
【請求項９】
ＰＮＰＮ構造のいずれかの半導体層に形成されたショットキーバリアダイオードで構成された論理回路であって、発光状態をコントロールする論理回路が接続されたＰＮＰＮ構造の発光サイリスタ。
【請求項１０】
前記論理回路は、ダイオード−ダイオード・ロジックのＯＲゲートであることを特徴とする請求項９に記載の発光サイリスタ。
【請求項１１】
前記論理回路は、ダイオード−ダイオード・ロジックのＡＮＤゲートであることを特徴とする請求項９に記載の発光サイリスタ。
【請求項１２】
ＰＮＰＮ構造のいずれかの半導体層に形成されたショットキーバリアダイオードで構成され、発光状態をコントロールするセット端子およびリセット端子が接続されたＰＮＰＮ構造の発光サイリスタ。
【請求項１３】
前記ショットキーバリアダイオードは、前記ＰＮＰＮ構造のＡｌＧａＡｓ層と、このＡｌＧａＡｓ層に接触するＡｌ端子とにより構成されることを特徴とする請求項９〜１２のいずれかに記載の発光サイリスタ。
【請求項１４】
ＰＮＰＮ構造に含まれるショットキーバリアダイオードで構成され、発光状態をコントロールするセット端子およびリセット端子が接続されたＰＮＰＮ構造の発光サイリスタを有するフリップフロップ回路。
【請求項１５】
前記ショットキーバリアダイオードは、前記ＰＮＰＮ構造のＡｌＧａＡｓ層と、このＡｌＧａＡｓ層に接触するＡｌ端子とにより構成されることを特徴とする請求項１４に記載のフリップフロップ回路。
【請求項１６】
ゲート入力端子が２個の請求項１０または１１に記載の発光サイリスタを２次元マトリックス状に配列し、前記２個のゲート入力端子の一方を行ラインに、ゲート入力端子の他方を列ラインに接続して構成された２次元マトリックス発光素子アレイ。
【請求項１７】
ゲート入力端子がＮ個（Ｎは２以上の整数）の請求項１１に記載の第１の発光サイリスタを１次元状に配列し、各第１の発光サイリスタのゲート入力端子を、Ｎ×Ｎ本のラインにマトリックス状に接続して構成された１次元マトリックス発光素子アレイ。
【請求項１８】
１次元状に配列された第２の発光サイリスタをさらに備え、第１の発光サイリスタのゲートは、対応する第２の発光サイリスタのゲートに接続され、
前記第１の発光サイリスタはメモリ用に用いて、第１の発光サイリスタに記憶されているデータにしたがって、前記第２の発光サイリスタの発光状態をコントロールすることを特徴とする請求項１７に記載の１次元マトリックス発光素子アレイ。
【請求項１９】
隣接するゲート間が結合ダイオードで結合されて、一次元的に配列された複数個のＰＮＰＮ構造の第１の発光サイリスタよりなるシフト部と、
一次元的に配列された複数個のＰＮＰＮ構造の第２の発光サイリスタよりなるメモリ部と、
一次元的に配列された複数個のＰＮＰＮ構造の第３の発光サイリスタよりなる発光部と、
前記メモリ部へデータを書き込むための書き込みラインと、
２入力ＡＮＤゲートとを備え、
前記２入力ＡＮＤゲートの一方の入力は前記書き込みラインに接続され、他方の入力は前記シフト部の対応する第１の発光サイリスタのゲートに接続され、
前記２入力ＡＮＤゲートの出力は、前記メモリ部の対応する第２の発光サイリスタのゲートに接続され、
前記発光部の第３の発光サイリスタのゲートは、前記メモリ部の対応する第２の発光サイリスタのゲートに接続されている自己走査型発光素子アレイにおいて、
前記結合ダイオードおよび前記２入力ＡＮＤゲートを、前記ＰＮＰＮ構造に形成されたショットキーダイオードで構成することを特徴とする自己走査型発光素子アレイ。
【請求項２０】
前記ショットキーバリアダイオードは、前記ＰＮＰＮ構造のＡｌＧａＡｓ層と、このＡｌＧａＡｓ層に接触するＡｌ配線とにより構成されることを特徴とする請求項１９に記載の自己走査型発光素子アレイ。
【請求項２１】
３．０Ｖで動作することを特徴とする請求項４，５，６，７または１９に記載の自己走査型発光素子アレイ。
【請求項２２】
３．０Ｖで動作することを特徴とする請求項１６に記載の２次元マトリックス発光素子アレイ。
【請求項２３】
３．０Ｖで動作することを特徴とする請求項１７または１８に記載の１次元マトリックス発光素子アレイ。
【請求項２４】
請求項４〜８のいずれかに記載の自己走査型発光素子アレイを有する書き込み用光源。
【請求項２５】
請求項２４に記載の光源を備える光プリンタ。
【手続補正２】
【補正対象書類名】明細書
【補正対象項目名】０００１
【補正方法】変更
【補正の内容】
【０００１】
【発明の属する技術分野】
本発明は、論理機能を有する発光素子および発光素子アレイに関し、特に、３．０Ｖで駆動する自己走査型発光素子アレイに関する。本発明は、また、自己走査型発光素子アレイを有する書き込み用光源、さらには書き込み用光源を備える光プリンタに関する。